(57)【要約】【課題】  蜜蜂の習性を活かして清掃作業の負担を軽減させるとともに、害虫の侵入を抑制することができる蜂巣箱を提供する。【解決手段】  巣枠を収納する蜂巣箱本体と、前記蜂巣箱本体の上方に係合される蜂巣箱蓋体と、出入口を有し前記蜂巣箱本体の下方に係合される蜂巣箱底部とを備え、前記蜂巣箱底部は、前記出入口と連通し、上端面から凹部状に形成される通路孔と、前記通路孔の側面を形成する傾斜板と、支持部を介して前記通路孔の上方に載置される取付板と、前記上端面と前記取付板との間に間隙とを備えたことを特徴とする蜂巣箱。【選択図】  図１
0003170255.tif 000002
【実用新案登録請求の範囲】
【請求項１】
巣枠を収納する蜂巣箱本体と、
前記蜂巣箱本体の上方に係合される蜂巣箱蓋体と、
出入口を有し前記蜂巣箱本体の下方に係合される蜂巣箱底部とを備え、
前記蜂巣箱底部は、
前記出入口と連通し、上端面から凹部状に形成される通路孔と、
前記通路孔の側面を形成する傾斜板と、
支持部を介して前記通路孔の上方に載置される取付板と、
前記上端面と前記取付板との間に間隙と
を備えたことを特徴とする蜂巣箱。
【請求項２】
前記間隙は前記傾斜板の上方に形成される請求項１に記載の蜂巣箱。
【請求項３】
前記傾斜板は前記出入口と対向する位置にある請求項１又は請求項２に記載の蜂巣箱。
【請求項４】
前記上端面及び前記取付板の平面が同一平面上に配置される請求項１から請求項３のいずれか１項に記載の蜂巣箱。
【考案の詳細な説明】
【技術分野】
【０００１】
本考案は、蜜蜂の巣箱として使用される蜂巣箱に関するものである。
【背景技術】
【０００２】
従来では、蜂巣箱本体と底板等の全体が一体化されており、底板に溜まった汚れを除去しようとする際には、その都度、複数枚設置されている巣枠を取り出した後でなければ、底板の清掃を行うことができず、清掃工程が煩雑であった。当該問題を解決する為、蜂巣箱本体と底板とを分離することができる蜂巣箱が公知である（例えば、特許文献１参照）。これにより、底板を分離して、清掃を容易に行うことができるようになった。
【先行技術文献】
【特許文献】
【０００３】
【特許文献１】特許第３８８５２０３号公報
【考案の概要】
【考案が解決しようとする課題】
【０００４】
しかし、当該蜂巣箱においては巣枠を取り出す工程を除去することはできるが、底板の全面に溜まった汚れを清掃する必要があり、清掃工程における煩雑さを解消するものではなかった。更に、蜂巣箱の出入口から巣枠が収納される内部に至るまで障害となる物がなく連通していることから、例えば、ハチノスツヅリガのような外部からの害虫の侵入を抑制することができないものであった。
【０００５】
そこで、本考案はこのような問題点を解決するものであって、蜜蜂の習性を活かして清掃作業の負担を軽減させるとともに、害虫の侵入を抑制することができる蜂巣箱を提供することを課題とする。
【課題を解決するための手段】
【０００６】
前記問題点を解決するために、本考案の請求項１に記載の蜂巣箱は、巣枠を収納する蜂巣箱本体と、蜂巣箱本体の上方に係合される蜂巣箱蓋体と、出入口を有し蜂巣箱本体の下方に係合される蜂巣箱底部とを備え、蜂巣箱底部は、出入口と連通し、上端面から凹部状に形成される通路孔と、通路孔の側面を形成する傾斜板と、支持部を介して通路孔の上方に載置される取付板と、上端面と取付板との間に間隙とを備えたことを特徴とするものである。
【０００７】
また、本考案の請求項２に記載の蜂巣箱は、請求項１に記載の蜂巣箱において、間隙は傾斜板の上方に形成されるものである。
【０００８】
また、本考案の請求項３に記載の蜂巣箱は、請求項１又は請求項２に記載の蜂巣箱において、傾斜板は出入口と対向する位置にある。
【０００９】
また、本考案の請求項４に記載の蜂巣箱は、請求項１から請求項３のいずれか１項に記載の蜂巣箱において、上端面及び取付板の平面が同一平面上に配置されるものである。
【考案の効果】
【００１０】
本考案に係る蜂巣箱では、清掃を好む蜜蜂の習性により、巣かす等の汚れを上端面と取付板の間隙から通路孔の底面へと掃き出させることができる。これにより、清掃の際には、蜂巣箱本体から蜂巣箱底部を分離させた後、取付板を外して通路孔の底面に溜まった汚れのみを除去すればよいので、清掃作業の負担を軽減することができる。
【００１１】
また、出入口から害虫が侵入した場合であっても、傾斜板を経て間隙を抜けなければ、巣枠が配置される内部へ到達することはできないので、内部への害虫の侵入を抑制することができる。
【図面の簡単な説明】
【００１２】
【図１】本考案の実施例１における蜂巣箱の分解斜視図である。
【図２】本考案の実施例１における蜂巣箱の蜂巣箱底部の分解斜視図である。
【図３】本考案の実施例２における蜂巣箱の蜂巣箱底部の分解斜視図である。
【図４】本考案の実施例３における蜂巣箱の蜂巣箱底部の分解斜視図である。
【考案を実施するための形態】
【００１３】
以下、本考案の実施の形態における蜂巣箱を図面に基づいて説明する。
【実施例１】
【００１４】
本考案の実施例１に係る蜂巣箱１を図１及び図２に基づいて説明する。図１は、蜂巣箱１の分解斜視図である。図２は、蜂巣箱１における蜂巣箱底部４の分解斜視図である。蜂巣箱１は、蜂巣箱蓋体２、蜂巣箱本体３及び蜂巣箱底部４とを備えている。
【００１５】
図１に示すように、蜂巣箱本体３は略直方体からなり、上方及び下方は開口した構造となっている。蜂巣箱本体３の内部空間は、蜂蜜を収穫する為の複数の巣枠３ｂを収納する収納部３ａとされる。また、蜂巣箱本体３の側面には、内部の通気を良好にする為の通気口３ｃが設けられる。通気口３ｃには、必要に応じて開閉が可能となる可動式を採用することもできる。
【００１６】
蜂巣箱本体３の上端部には、蜂巣箱蓋体２との係合手段が設けられる。また、蜂巣箱本体３の下端部には、蜂巣箱底部４との係合手段が設けられる。係合手段には、夫々が対応して係合する、例えば段部等が採用される。これにより、蜂巣箱１は分解することができる。
【００１７】
図２に示すように、蜂巣箱底部４は上端面の一部に凹部状の通路孔４ｃを設けた基体４ａ及び通路孔４ｃを覆う取付板４ｉとから構成される。基体４ａの外形部には、蜂巣箱本体３との係合手段となる段部４ｂが設けられる。また、基体４ａにおける短手方向の側面には、蜜蜂が出入りする為の出入口４ｄが設けられる。出入口４ｄは、通路孔４ｃに連通するようにして形成される。
【００１８】
凹部状の通路孔４ｃは、出入口４ｄを有する側の基体４ａの端部から３分の１程度の位置に至るまで形成される。当該通路孔４ｃの底面には、底板４ｅが設けられる。また、出入口４ｄを有する側の基体４ａの端部と対向する位置の通路孔４ｃの側面には傾斜板４ｆが設けられる。傾斜板４ｆは、通路孔４ｃが底板４ｅから上方へ向けて広がるように傾斜してなる。傾斜板４ｆを設けることで、蜜蜂が登りやすくなる。
【００１９】
基体４ａの上端面と同一平面となるように設けられる天板４ｇは、傾斜板４ｆから連設するようにして形成される。このとき、天板４ｇは基体４ａの上端面を構成する。このようにして形成される通路孔４ｃにおいて、出入口４ｄと傾斜板４ｆとは夫々が対向する位置関係にある。
【００２０】
また、基体４ａにおける短手方向の底板４ｅの両端部及び中央部には支持部４ｈが配置される。支持部４ｈは、一端部が通路孔４ｃ内における基体４ａの側面と当接し、他端部が傾斜板４ｆと当接するようにして設けられる。
【００２１】
また、出入口４ｄ側から通路孔４ｃの大部分を覆うようにして、支持部４ｈの上端面に取付板４ｉが載置される。当該状態において、天板４ｇ及び取付板４ｉは同一平面上になるように配置され、両者の間に間隙４ｊを設けることで蜜蜂が通るスペースを確保している。間隙４ｊは、傾斜板４ｆの上方に形成されることとなる。
【００２２】
底板４ｅの中央部に支持部４ｈを配置することで、取付板４ｉを安定した状態で載置できるとともに、出入口４ｄのスペースを狭くすることがきるので、大きな害虫の侵入を抑制することができる。
【００２３】
このようにして形成される蜂巣箱底部４を有する蜂巣箱１においては、蜜蜂は出入口４ｄから進入した後、底板４ｅ及び傾斜板４ｆを経て、天板ｇと取付板４ｉの間隙４ｊから上方の巣枠３ｂへと移ることができる。
【００２４】
次に、蜂巣箱１の清掃工程について説明する。養蜂における蜂巣箱の清掃は、極めて重要な作業であるが、蜂巣箱１における清掃工程は、従来よりも容易に行うことができる。蜂巣箱１内における巣かす等の汚れは、蜂巣箱底部４の天板ｇ及び取付板４ｉ上に溜まることになるが、清掃を好む蜜蜂の習性により、巣かす等の汚れは天板ｇと取付板４ｉの間隙４ｊから傾斜板４ｆを経て、底板４ｅへと掃き出される。これにより、多くの汚れは底板４ｅ上に溜まることになる。清掃の際には、蜂巣箱本体３から蜂巣箱底部４を分離させた後、取付板４ｉを外して底板４ｅに溜まった汚れのみを除去すればよい。これにより、清掃作業の負担を軽減することができる。
【００２５】
また、養蜂における蜂巣箱の清掃は、外部からの害虫の侵入の有無を確認する上でも重要である。蜂巣箱１における蜂巣箱底部４では、出入口４ｄから害虫が侵入した場合であっても、傾斜板４ｆを経て間隙４ｊを抜けなければ、巣枠３ｂが配置される内部へ到達することはできない。
【００２６】
例えば、ハチノスツヅリガは巣かすを好むとされているが、清掃を好む蜜蜂の習性により、当該巣かすはもっぱら底板４ｅ上に掃き出されることから、ハチノスツヅリガは巣枠３ｂが配置される内部へ侵入することなく底板４ｅ上に留まることになる。これにより、巣枠３ｂが配置される内部への侵入を抑制することができる。
【実施例２】
【００２７】
本考案の実施例２は、実施例１と比較して蜂巣箱底部４の構造のみが相違する。当該構造について、図３に基づいて説明する。図３は、実施例２における蜂巣箱１の蜂巣箱底部４の分解斜視図である。
【００２８】
本実施例における蜂巣箱底部４では、天板４ｇが基体４ａと一体に形成され、基体４ａの上端面を構成する。また、支持部４ｈは、出入口４ｄを確保した状態で、基体４ａにおける短手方向の底板４ｅの中央部近郊に配置されている。実施例１と異なり、支持部４ｈの両端部は、通路孔４ｃの側面、傾斜板４ｆと当接しなくてもよい。支持部４ｈの上端面に取付板４ｉを載置でき、天板ｇと取付板４ｉの間隙４ｊが形成されればよい趣旨である。
【実施例３】
【００２９】
本考案の実施例３は、実施例１及び実施例２と比較して蜂巣箱底部４の構造のみが相違する。当該構造について、図４に基づいて説明する。図４は、実施例３における蜂巣箱１の蜂巣箱底部４の分解斜視図である。
【００３０】
本実施例における蜂巣箱底部４では、支持部４ｈは、出入口４ｄを確保した状態で、基体４ａにおける短手方向と平行して配置されている。支持部４ｈの両端部は、通路孔４ｃの側面と当接していてもよいし、当接しなくてもよい。実施例２と同様にして、支持部４ｈの上端面に取付板４ｉを載置でき、天板ｇと取付板４ｉの間隙４ｊが形成されればよい趣旨である。
【００３１】
本考案に係る蜂巣箱１は上記実施例１から実施例３に限られることなく、支持部４ｈは出入口４ｄを確保した状態で、且つ支持部４ｈの上端面に取付板４ｉを載置でき、傾斜板４ｆの上方に天板ｇと取付板４ｉの間隙４ｊが形成されていればよく、他の形態を採用することもできる。また、天板４ｇ及び取付板４ｉは同一平面上になるように配置されなくてもよいものである。
【００３２】
以上、説明した本考案の実施例に係る蜂巣箱１によれば、清掃を好む蜜蜂の習性により、巣かす等の汚れを天板ｇと取付板４ｉの間隙４ｊから底板４ｅへと掃き出させることができる。これにより、清掃の際には、蜂巣箱本体３から蜂巣箱底部４を分離させた後、取付板４ｉを外して底板４ｅに溜まった汚れのみを除去すればよいので、清掃作業の負担を軽減することができる。
【００３３】
また、出入口４ｄから害虫が侵入した場合であっても、傾斜板４ｆを経て間隙４ｊを抜けなければ、巣枠３ｂが配置される内部へ到達することはできない。これにより、巣枠３ｂが配置される内部への害虫の侵入を抑制することができる。
【符号の説明】
【００３４】
１      蜂巣箱
２      蜂巣箱蓋体
３      蜂巣箱本体
３ａ    収納部
３ｂ    巣枠
３ｃ    通気口
４      蜂巣箱底部
４ａ    基体
４ｂ    段部
４ｃ    通気口
４ｄ    出入口
４ｅ    底板
４ｆ    傾斜板
４ｇ    天板
４ｈ    支持部
４ｉ    取付板
４ｊ    間隙
【図１】
0003170255.tif 000003
【図２】
0003170255.tif 000004
【図３】
0003170255.tif 000005
【図４】
0003170255.tif 000006